(57)【要約】【課題】 表示パネルの駆動方法およびそれを行う表示装置を提供する。【解決手段】表示パネルの駆動方法は、入力映像を複数のセグメントに分割し、セグメントのフリッカ数値を生成し、セグメントのフリッカ数値に基づいて表示パネルのフレームレートを決定し、フレームレートでデータ電圧を表示パネルに出力すること、を含む。それにより、表示装置の消費電力を低減し、且つ表示パネルの表示品質を向上させることができる。【選択図】図５
2015152923.tif 000002
【特許請求の範囲】
【請求項１】
入力映像を複数のセグメントに分割し、
前記セグメントのフリッカ数値を生成し、
前記セグメントの前記フリッカ数値に基づいて表示パネルのフレームレートを決定し、
前記フレームレートでデータ電圧を前記表示パネルに出力すること、
を含む表示パネルの駆動方法。
【請求項２】
前記入力映像が静止画像であるか動画像であるか判断することをさらに含み、
前記入力映像が静止画像である場合、前記セグメントの前記フリッカ数値に基づいて表示パネルのフレームレートを決めることを特徴とする請求項１に記載の表示パネルの駆動方法。
【請求項３】
前記セグメントの前記フリッカ数値を生成することは、
ピクセルの輝度を前記ピクセルのフリッカ数値に変換し、
前記セグメント内の前記ピクセルのフリッカ数値を演算すること、
を含むことを特徴とする請求項１に記載の表示パネルの駆動方法。
【請求項４】
前記入力映像は、赤色階調、緑色階調および青色階調を有し、
前記セグメントの前記フリッカ数値を生成することは、
前記赤色階調、前記緑色階調および前記青色階調に基づいて前記ピクセルの前記輝度を抽出すること、をさらに含むことを特徴とする請求項３に記載の表示パネルの駆動方法。
【請求項５】
前記セグメント内の前記フリッカ数値を演算することは、
前記セグメント内の前記ピクセルの前記フリッカ数値を合算することを特徴とする請求項３に記載の表示パネルの駆動方法。
【請求項６】
前記セグメント内の前記フリッカ数値を演算することは、
前記ピクセルの位置に係るウェイトを設定し、
前記セグメント内の前記ピクセルの前記フリッカ数値の加重和を演算すること、
を含むことを特徴とする請求項３に記載の表示パネルの駆動方法。
【請求項７】
前記セグメントの前記フリッカ数値に基づいて前記表示パネルの前記フレームレートを決めることは、
前記セグメントの前記フリッカ数値のうち、最大値を閾値と比較することを特徴とする請求項１に記載の表示パネルの駆動方法。
【請求項８】
前記セグメントの前記フリッカ数値に基づいて前記表示パネルの前記フレームレートを決めることは、
相対的に高いフリッカ数値を有する前記セグメントの前記フリッカ数値の平均値を閾値と比較することを特徴とする請求項１に記載の表示パネルの駆動方法。
【請求項９】
ブラックを示す第１階調と、グレーを示す第２階調とを有し、前記第１階調と前記第２階調との間に第１比率を有し、前記第２階調が前記表示パネルの中心に集中する第１入力映像に対する第１フレームレートは、前記第１階調と、前記第２階調とを有し、前記第１階調と前記第２階調との間に前記第１比率を有し、前記第２階調が前記表示パネルの全体に分散する第２入力映像に対する第２フレームレートとは異なっていることを特徴とする請求項１に記載の表示パネルの駆動方法。
【請求項１０】
前記第１フレームレートは、前記第２フレームレートより大きいことを特徴とする請求項９に記載の表示パネルの駆動方法。
【発明の詳細な説明】
【技術分野】
【０００１】
本発明は、表示パネルの駆動方法およびそれを行う表示装置に関し、より詳細には、消費電力を低減し、表示品質を向上させることができる表示パネルの駆動方法およびそれを行う表示装置に関する。
【背景技術】
【０００２】
実生活に広く用いられるテーブルＰＣ（Ｔａｂｌｅ  ＰＣ）及びノートＰＣ（Ｎｏｔｅ  ＰＣ）などのＩＴ製品のバッテリ消耗を最小化するための研究が続いている。
【０００３】
表示パネルを備えるＩＴ製品を最小化するために、表示パネルの消費電力を最小化することができる。表示パネルが静止画像を表示する際、表示パネルの消費電力を低減することができるように、表示パネルは、比較的低い周波数で駆動されてもよい。
【０００４】
しかしながら、前記表示パネルを低周波数で駆動する場合、フリッカが発生し、表示品質が落ちるという問題点がある。
【先行技術文献】
【特許文献】
【０００５】
【特許文献１】韓国公開特許第２０１３−０００５８０７号公報
【特許文献２】米国公開特許第２００９−０２５１４４５号公報
【特許文献３】韓国公開特許第２００４−００７８２９８号公報
【発明の概要】
【発明が解決しようとする課題】
【０００６】
本発明の目的は、表示装置の消費電力を減少させ、表示品質を向上させる表示パネルの駆動方法を提供することにある。
【０００７】
本発明の他の目的は、前記表示パネルの駆動方法を行う表示装置を提供することにある。
【課題を解決するための手段】
【０００８】
上述した本発明の一実施形態に係る表示パネルの駆動方法は、入力映像を複数のセグメントに分割し、前記セグメントのフリッカ数値を生成し、前記セグメントの前記フリッカ数値に基づいて表示パネルのフレームレートを決定し、前記フレームレートでデータ電圧を前記表示パネルに出力すること、を含む。
【０００９】
本発明の一実施形態において、前記表示パネルの駆動方法は、前記入力映像が静止画像であるか動画像であるか判断することをさらに含んでもよい。前記入力映像が静止画像である場合、前記セグメントの前記フリッカ数値に基づいて表示パネルのフレームレートを決定してもよい。
【００１０】
本発明の一実施形態において、前記セグメントの前記フリッカ数値を生成することは、ピクセルの輝度を前記ピクセルのフリッカ数値に変換することおよび前記セグメント内の前記ピクセルのフリッカ数値を演算することを含んでもよい。
【００１１】
本発明の一実施形態において、前記入力映像は、赤色階調、緑色階調および青色階調を有してもよい。前記セグメントの前記フリッカ数値を生成することは、前記赤色階調、前記緑色階調および前記青色階調に基づいて前記ピクセルの前記輝度を抽出することをさらに含んでもよい。
【００１２】
本発明の一実施形態において、前記セグメント内の前記フリッカ数値を演算することは、前記セグメント内の前記ピクセルの前記フリッカ数値を合算することを含んでもよい。
【００１３】
本発明の一実施形態において、前記セグメント内の前記フリッカ数値を演算することは、前記ピクセルの位置に係るウェイトを設定することおよび前記セグメント内の前記ピクセルの前記フリッカ数値の加重和を演算することを含んでもよい。
【００１４】
本発明の一実施形態において、前記ウェイトは、前記表示パネルの端ほど大きくてもよい。
【００１５】
本発明の一実施形態において、前記セグメントは、水平方向に延びる長辺を有する長方形状であってもよい。
【００１６】
本発明の一実施形態において、前記セグメントの前記フリッカ数値に基づいて前記表示パネルの前記フレームレートを決めることは、前記セグメントの前記フリッカ数値のうち最大値を閾値（スレッショルド）と比較することを含んでもよい。
【００１７】
本発明の一実施形態において、前記セグメントの前記フリッカ数値に基づいて前記表示パネルの前記フレームレートを決めることは、相対的に高いフリッカ数値を有する前記セグメントの前記フリッカ数値の平均値を閾値（スレッショルド）と比較することを含んでもよい。
【００１８】
本発明の一実施形態において、第１入力映像は、ブラックを示す第１階調と、グレーを示す第２階調とを有してもよい。前記第１入力映像は、前記第１階調と前記第２階調との間に第１比率（ｆｉｒｓｔ  ｒａｔｉｏ）を有してもよい。前記第２階調は、前記第１入力映像において、前記表示パネルの中心部に集中してもよい。第２入力映像は、前記第１階調と、前記第２階調とを有してもよい。前記第２入力映像は、前記第１階調と前記第２階調との間に前記第１比率を有してもよい。前記第２階調は、前記第２入力映像において、前記表示パネル全体に分散してもよい。前記第１入力映像に対する第１フレームレートは、前記第２入力映像に対する第２フレームレートとは異なっていてもよい。
【００１９】
本発明の一実施形態において、前記第１フレームレートは、前記第２フレームレートより大きくてもよい。
【００２０】
上述した本発明の一実施形態に係る表示装置は、表示パネル、低周波駆動部およびデータ駆動部を含む。前記表示パネルは、映像を表示する。前記低周波駆動部は、入力映像を複数のセグメントに分割し、前記セグメントのフリッカ数値を生成して、前記セグメントの前記フリッカ数値に基づいて前記表示パネルのフレームレートを決める。前記データ駆動部は、前記フレームレートでデータ電圧を前記表示パネルに出力する。
【００２１】
本発明の一実施形態において、前記低周波駆動部は、前記入力映像が静止画像であるか動画像であるか判断する静止画像判断部を含んでもよい。前記入力映像が静止画像である場合、前記低周波駆動部は、前記セグメントの前記フリッカ数値に基づいて表示パネルのフレームレートを決めてもよい。
【００２２】
本発明の一実施形態において、前記低周波駆動部は、ピクセルの輝度を前記ピクセルのフリッカ数値に変換して、前記セグメント内の前記ピクセルのフリッカ数値を演算して前記セグメントの前記フリッカ数値を生成してもよい。
【００２３】
本発明の一実施形態において、前記入力映像は、赤色階調、緑色階調および青色階調を有してもよい。前記低周波駆動部は、前記赤色階調、前記緑色階調および前記青色階調に基づいて前記ピクセルの前記輝度を抽出してもよい。
【００２４】
本発明の一実施形態において、前記低周波駆動部は、前記セグメント内の前記ピクセルの前記フリッカ数値を合算して前記フリッカ数値を生成してもよい。本発明の一実施形態において、前記低周波駆動部は、前記ピクセルの位置に係るウェイトを設定して、前記セグメント内の前記ピクセルの前記フリッカ数値の加重和を演算して、前記フリッカ数値を生成してもよい。本発明の一実施形態において、第１入力映像は、ブラックを示す第１階調と、グレーを示す第２階調とを有してもよい。前記第１入力映像は、前記第１階調と前記第２階調との間の第１比率（ｆｉｒｓｔ  ｒａｔｉｏ）を有してもよい。前記第２階調は、前記第１入力映像において、前記表示パネルの中心部に集中してもよい。第２入力映像は、前記第１階調と、前記第２階調とを有してもよい。前記第２入力映像は、前記第１階調と前記第２階調との間の前記第１比率を有してもよい。前記第２階調は、前記第２入力映像において、前記表示パネル全体に分散してもよい。前記第１入力映像に対する第１フレームレートは、前記第２入力映像に対する第２フレームレートとは異なっていてもよい。本発明の一実施形態において、前記第１フレームレートは、前記第２フレームレートより大きくてもよい。
【発明の効果】
【００２５】
このような表示パネルの駆動方法およびそれを行う表示装置によれば、表示パネルが表示する映像に準じてフレームレートを調節して表示装置の消費電力を低減することができる。また、表示パネルが表示する映像のセグメント別のフリッカ数値を用いてフレームレートを決めるので、フリッカを防止して表示パネルの表示品質を向上させることができる。
【図面の簡単な説明】
【００２６】
【図１】本発明の一実施形態に係る表示装置を示すブロック図である。
【図２】図１のタイミングコントローラを示すブロック図である。
【図３】図２の低周波駆動部を示すブロック図である。
【図４】図３のセグメント分割部によって定義されるセグメントを示す概念図である。
【図５】図３のピクセル別フリッカ数値算出部によって用いられるピクセルの輝度に係るフリッカ数値を示すグラフである。
【図６】図３のフレームレート判断部の動作を示す概念図である。
【図７】入力映像のサンプルを示す平面図である。
【図８】入力映像のサンプルを示す平面図である。
【図９】図７および図８の入力映像のサンプルに対して図３の低周波駆動部によって決定されたフレームレートを示す概念図である。
【図１０】図７および図８の入力映像のサンプルに対して図３の低周波駆動部によって決定されたフレームレートを示す概念図である。
【発明を実施するための形態】
【００２７】
以下、添付した図面を参照して、本発明をより詳細に説明する。
【００２８】
図１は、本発明の一実施形態に係る表示装置を示すブロック図である。
【００２９】
図１を参照すると、表示装置は、表示パネル１００およびパネル駆動部を含む。パネル駆動部は、タイミングコントローラ２００、ゲート駆動部３００、ガンマ基準電圧生成部４００およびデータ駆動部５００を含む。
【００３０】
表示パネル１００は、映像を表示する表示部および表示部に隣接して配置される周辺部を含む。
【００３１】
表示パネル１００は、複数のゲートライン（ＧＬ）、複数のデータライン（ＤＬ）およびゲートライン（ＧＬ）とデータライン（ＤＬ）とに電気的に接続された複数の単位ピクセルを含む。ゲートライン（ＧＬ）は、第１方向(Ｄ１)に延びて、データライン（ＤＬ）は、第１方向(Ｄ１)と交差する第２方向(Ｄ２)に延びる。
【００３２】
各単位ピクセルは、スイッチング素子(図示せず)、スイッチング素子に電気的に接続された液晶キャパシタ(図示せず)およびストレージキャパシタ(図示せず)を含んでもよい。単位ピクセルは、マトリックス形態に配置されてもよい。
【００３３】
タイミングコントローラ２００は、外部の装置(図示せず)から入力映像データ（ＲＧＢ）および入力制御信号（ＣＯＮＴ)を受信する。入力映像データは、赤色映像データ（Ｒ）、緑色映像データ（Ｇ）および青色映像データ（Ｂ）を含んでもよい。入力制御信号（ＣＯＮＴ)は、マスタークロック信号、およびデータイネーブル信号を含んでもよい。入力制御信号（ＣＯＮＴ)は、垂直同期信号および水平同期信号をさらに含んでもよい。
【００３４】
タイミングコントローラ２００は、入力映像データ（ＲＧＢ）および入力制御信号（ＣＯＮＴ)に基づいて、第１制御信号（ＣＯＮＴ１)、第２制御信号（ＣＯＮＴ２)、第３制御信号（ＣＯＮＴ３)およびデータ信号（ＤＡＴＡ）を生成する。
【００３５】
タイミングコントローラ２００は、入力制御信号（ＣＯＮＴ)に基づいて、ゲート駆動部３００の動作を制御する第１制御信号（ＣＯＮＴ１)を生成してゲート駆動部３００に出力する。第１制御信号（ＣＯＮＴ１)は、垂直開始信号およびゲートクロック信号を含んでもよい。
【００３６】
タイミングコントローラ２００は、入力制御信号（ＣＯＮＴ)に基づき、データ駆動部５００の動作を制御する第２制御信号（ＣＯＮＴ２)を生成してデータ駆動部５００に出力する。第２制御信号（ＣＯＮＴ２)は、水平開始信号およびロード信号を含んでもよい。
【００３７】
タイミングコントローラ２００は、入力映像データ（ＲＧＢ）に基づき、データ信号（ＤＡＴＡ）を生成する。タイミングコントローラ２００は、データ信号（ＤＡＴＡ）をデータ駆動部５００に出力する。
【００３８】
例えば、タイミングコントローラ２００は、入力映像データ（ＲＧＢ）に基づいて、表示パネル１００のフレームレートを調節することができる。
【００３９】
タイミングコントローラ２００は、入力制御信号（ＣＯＮＴ)に基づいて、ガンマ基準電圧生成部４００の動作を制御する第３制御信号（ＣＯＮＴ３)を生成してガンマ基準電圧生成部４００に出力する。
【００４０】
タイミングコントローラ２００については、図２ないし図６を参照して詳細に後述する。
【００４１】
ゲート駆動部３００は、タイミングコントローラ２００から入力された第１制御信号（ＣＯＮＴ１)に応答して、ゲートライン（ＧＬ）を駆動するゲート信号を生成する。ゲート駆動部３００は、ゲート信号をゲートライン（ＧＬ）に順次出力する。
【００４２】
ゲート駆動部３００は、表示パネル１００に直接実装（ｍｏｕｎｔｅｄ）されてもよく、テープキャリアパッケージ（ｔａｐｅ  ｃａｒｒｉｅｒ  ｐａｃｋａｇｅ：ＴＣＰ）形態で表示パネル１００に接続されてもよい。或は、ゲート駆動部３００は、表示パネル１００の周辺部に集積（ｉｎｔｅｇｒａｔｅｄ）されてもよい。
【００４３】
ガンマ基準電圧生成部４００は、タイミングコントローラ２００から入力された第３制御信号（ＣＯＮＴ３)に応答して、ガンマ基準電圧（ＶＧＲＥＦ）を生成する。ガンマ基準電圧生成部４００は、ガンマ基準電圧（ＶＧＲＥＦ）をデータ駆動部５００に提供する。ガンマ基準電圧（ＶＧＲＥＦ）は、それぞれのデータ信号（ＤＡＴＡ）に対応する値を有する。
【００４４】
本発明の一実施形態において、ガンマ基準電圧生成部４００は、タイミングコントローラ２００内に配置されてもよく、データ駆動部５００内に配置されてもよい。
【００４５】
データ駆動部５００は、タイミングコントローラ２００から第２制御信号（ＣＯＮＴ２)およびデータ信号（ＤＡＴＡ）の入力を受け、ガンマ基準電圧生成部４００からガンマ基準電圧（ＶＧＲＥＦ）を入力を受ける。データ駆動部５００は、ガンマ基準電圧（ＶＧＲＥＦ）を用いてデータ信号（ＤＡＴＡ）をアナログ形態のデータ電圧に変換する。データ駆動部５００は、データ電圧をデータライン（ＤＬ）に出力する。
【００４６】
データ駆動部５００は、表示パネル１００に直接実装されてもよく、テープキャリアパッケージ（ｔａｐｅ  ｃａｒｒｉｅｒ  ｐａｃｋａｇｅ：ＴＣＰ）形態で表示パネル１００に接続されてもよい。或は、データ駆動部５００は、表示パネル１００の周辺部に集積されてもよい。
【００４７】
図２は、図１のタイミングコントローラ２００を示すブロック図である。図３は、図２の低周波駆動部２４０を示すブロック図である。図４は、図３のセグメント分割部２４２により定義されるセグメントを示す概念図である。図５は、図３のピクセル別フリッカ数値算出部２４３により用いられるピクセルの輝度に係るフリッカ数値を示すグラフである。図６は、図３のフレームレート判断部２４５の動作を示す概念図である。
【００４８】
図１ないし図６を参照すると、タイミングコントローラ２００は、映像変換部２２０、低周波駆動部２４０および信号生成部２６０を含む。
【００４９】
映像変換部２２０は、入力映像データ（ＲＧＢ）の階調を補正し、データ駆動部５００の形式に合うように入力映像データ（ＲＧＢ）を再配置してデータ信号（ＤＡＴＡ）を生成する。データ信号（ＤＡＴＡ）は、デジタル信号であってもよい。映像変換部２２０は、データ信号（ＤＡＴＡ）をデータ駆動部５００に出力する。
【００５０】
例えば、映像変換部２２０は、色特性補償部(図示せず)および能動キャパシタンス補償部(図示せず)を含んでもよい。
【００５１】
色特性補償部は、入力映像データ（ＲＧＢ）の階調データを受信して、色特性補償（Ａｄａｐｔｉｖｅ  Ｃｏｌｏｒ  Ｃｏｒｒｅｃｔｉｏｎ、「ＡＣＣ」）を行う。色特性補償部は、ガンマ曲線を用いて階調データを補償してもよい。
【００５２】
能動キャパシタンス補償部は、直前のフレームデータと現在のフレームデータとを用いて、現在のフレームデータの階調データを補正する能動キャパシタンス補償（Ｄｙｎａｍｉｃ  Ｃａｐａｃｉｔａｎｃｅ  Ｃｏｍｐｅｎｓａｔｉｏｎ、「ＤＣＣ」）を行う。
【００５３】
低周波駆動部２４０は、入力映像データ（ＲＧＢ）を受信して、入力映像データ（ＲＧＢ）に基づいて表示パネル１００のフレームレート（ＦＲ）を決める。低周波駆動部２４０は、フレームレート（ＦＲ）を信号生成部(２６０)に出力してもよい。
【００５４】
信号生成部(２６０)は、入力制御信号（ＣＯＮＴ)を受信する。信号生成部(２６０)は、入力制御信号（ＣＯＮＴ)およびフレームレート（ＦＲ）に基づいて、ゲート駆動部３００の駆動タイミングを調節する第１制御信号（ＣＯＮＴ１)を生成する。また、信号生成部(２６０)は、入力制御信号（ＣＯＮＴ)およびフレームレート（ＦＲ）に基づいて、データ駆動部５００の駆動タイミングを調節する第２制御信号（ＣＯＮＴ２)を生成する。さらに、信号生成部(２６０)は、入力制御信号（ＣＯＮＴ)およびフレームレート（ＦＲ）に基づいて、ガンマ基準電圧生成部４００の駆動タイミングを調節する第３制御信号（ＣＯＮＴ３)を生成する。
【００５５】
信号生成部(２６０)は、第１制御信号（ＣＯＮＴ１)をゲート駆動部３００に出力し、第２制御信号（ＣＯＮＴ２)をデータ駆動部５００に出力し、第３制御信号（ＣＯＮＴ３)をガンマ基準電圧生成部４００に出力する。
【００５６】
低周波駆動部２４０は、静止画像判断部２４１、セグメント分割部２４２、ピクセル別フリッカ数値算出部２４３、セグメント別フリッカ数値算出部２４４およびフレームレート判断部２４５を含む。
【００５７】
静止画像判断部２４１は、入力映像データ（ＲＧＢ）を受信して、入力映像データ（ＲＧＢ）が静止画像であるか動画像であるか判断する。
【００５８】
セグメント分割部２４２は、入力映像データ（ＲＧＢ）を複数のセグメント(Ｓ１１ないしＳ５８)に分割する。図４では、入力映像データ（ＲＧＢ）は、５行８列の４０個のセグメント(Ｓ１１ないしＳ５８)に分割されることを図示しているが、本発明は、セグメントの数を限定するわけではない。
【００５９】
各セグメント(Ｓ１１ないしＳ５８)は、水平方向に延びる長辺を有する長方形状を有してもよい。人間の視覚では、水平方向に延びる長辺を有する長方形状におけるフリッカは、垂直方向に延びる長辺を有する長方形状のフリッカよりも相対的に多く検出される。そのため、セグメント(Ｓ１１ないしＳ５８)は、水平方向に延びる長辺を有する長方形状であってもよい。
【００６０】
ピクセル別フリッカ数値算出部２４３は、各ピクセルの輝度に係るフリッカ数値を算出する。各ピクセルのフリッカ数値は、ピクセルの輝度および表示パネル１００のフレームレート（ＦＲ）に準じて、図５に示すグラフのような形状を有してもよい。
【００６１】
ピクセル別フリッカ数値算出部２４３は、ピクセルの輝度およびフレームレートに係るフリッカ数値を用いて、各ピクセルのフリッカ数値を算出してもよい。
【００６２】
例えば、ピクセル別フリッカ数値算出部２４３は、ピクセルの輝度およびフレームレートに係るフリッカ数値を含むルックアップテーブルを含んでもよい。
【００６３】
入力映像データ（ＲＧＢ）は、赤色階調（Ｒ）、緑色階調（Ｇ）および青色階調（Ｂ）を有して、ＲＧＢ色空間として定義されてもよい。低周波駆動部２４０は、ＲＧＢ色空間における入力映像データ（ＲＧＢ）からピクセルの輝度を抽出してもよい。例えば、低周波駆動部２４０は、ＲＧＢ色空間の入力映像データ（ＲＧＢ）からピクセルの輝度を抽出するＲＧＢ  ｔｏ  Ｙコンバータを含んでもよい。
【００６４】
セグメント別フリッカ数値算出部２４４は、セグメントのフリッカ数値を生成する。セグメント別フリッカ数値算出部２４４は、ピクセルのフリッカ数値を用いてセグメントのフリッカ数値を生成する。
【００６５】
例えば、セグメント別フリッカ数値算出部２４４は、セグメント内のピクセルのフリッカ数値を合算してもよい。
【００６６】
例えば、セグメントが１００個のピクセルを有する場合、ピクセル別フリッカ数値算出部２４３は、１００個のピクセルのフリッカ数値をそれぞれ算出し、セグメント別フリッカ数値算出部２４４は、１００個のピクセルのフリッカ数値を合算してセグメントのフリッカ数値を生成する。
【００６７】
それとは異なり、セグメント別フリッカ数値算出部２４４は、ピクセルのフリッカ数値と各ピクセルの位置に基づくウェイトとを用いて加重和を算出して、セグメントのフリッカ数値を生成してもよい。即ち、セグメント別フリッカ数値算出部２４４は、ピクセルの位置に準じてピクセルのウェイトを設定してもよい。そして、セグメント別フリッカ数値算出部２４４は、ピクセルのフリッカ数値と該ピクセルに対応するウェイトとを掛け算し、ウェイトが掛け算されたピクセルのフリッカ数値を合算して加重和を求め、セグメントのフリッカ数値を生成してもよい。
【００６８】
例えば、表示パネル１００の端部はフリッカに脆弱な場合が多いので、表示パネル１００の端部に位置したピクセルであればあるほど大きなウェイトを有してもよい。
【００６９】
或は、セグメント別フリッカ数値算出部２４４は、ピクセルのフリッカ数値を多様な方式で演算して、セグメントのフリッカ数値を生成してもよい。
【００７０】
例えば、表示パネル１００が有するセグメントが４０個である場合、セグメント別フリッカ数値算出部２４４は、第１ないし第４０セグメントに対するフリッカ数値をそれぞれ生成する。
【００７１】
本発明の一実施形態において、セグメント分割部２４２、ピクセル別フリッカ数値算出部２４３およびセグメント別フリッカ数値算出部２４４は、入力映像データ（ＲＧＢ）が静止画像である場合にのみ動作してもよい。
【００７２】
本発明の一実施形態において、セグメント分割部２４２およびピクセル別フリッカ数値算出部２４３は、互いに置き換えられてもよい。
【００７３】
フレームレート判断部２４５は、セグメントのフリッカ数値に基づいて、表示パネル１００のフレームレート（ＦＲ）を決める。
【００７４】
フレームレート判断部２４５は、セグメントのフリッカ数値のうち、最大値を閾値（スレッショルド）と比較して、表示パネル１００のフレームレート（ＦＲ）を決めてもよい。
【００７５】
図６において、第５セグメント(Ｓ１５)のフリッカ数値が最大値である場合、フレームレート判断部２４５は、第５セグメント(Ｓ１５)のフリッカ数値をフレームレート別の閾値（スレッショルド）と比較してもよい。第５セグメント(Ｓ１５)のフリッカ数値は、１０Ｈｚのフレームレートの閾値を超過して、１５Ｈｚのフレームレートの閾値以下であるから、表示パネル１００のフレームレート（ＦＲ）は、１５Ｈｚに決定されてもよい。
【００７６】
フレームレート判断部２４５は、相対的に高いフリッカ数値を有するセグメントのフリッカ数値の平均値を閾値と比較して、表示パネル１００のフレームレート（ＦＲ）を決めてもよい。
【００７７】
例えば、図６において、第４ないし第６セグメント(Ｓ１４、Ｓ１５、Ｓ１６)のフリッカ数値が上位３個の値の場合、フレームレート判断部２４５は、第４ないし第６セグメント(Ｓ１４、Ｓ１５、Ｓ１６)のフリッカ数値の平均を求めてフレームレート別閾値と比較する。第４ないし第６セグメント(Ｓ１４、Ｓ１５、Ｓ１６)のフリッカ数値の平均は、１０Ｈｚのフレームレートの閾値を超過して、１５Ｈｚのフレームレートの閾値以下であるため、表示パネル１００のフレームレート（ＦＲ）は、１５Ｈｚに決定される。
【００７８】
それとは異なり、フレームレート判断部２４５は、セグメントのフリッカ数値を多様な方式で演算してフレームレート（ＦＲ）を決めてもよい。
【００７９】
本発明の一実施形態において、フレームレート判断部２４５は、入力映像データ（ＲＧＢ）が動画像を示す場合、セグメント別フリッカ数値にかかわらずフレームレート（ＦＲ）を高周波数に決めてもよい。例えば、高周波数は６０Ｈｚ以上であってもよく、約６０Ｈｚ、約１２０Ｈｚおよび約２４０Ｈｚのうちの一つであってもよい。フレームレート判断部２４５は、入力映像データ（ＲＧＢ）が静止画像を示す場合、セグメント別フリッカ数値を考慮し、フレームレート（ＦＲ）を低周波数の一つに決めてもよい。例えば、低周波数は６０Ｈｚ未満であってもよく、約１Ｈｚ、約１０Ｈｚ、約１５Ｈｚ、約２０Ｈｚおよび約３０Ｈｚのうちの一つであってもよい。
【００８０】
図７および図８は、入力映像データのサンプルＡ、Ｂを示す平面図である。図９および図１０は、図７および図８の入力映像のサンプルＡ、Ｂに対して図３の低周波駆動部２４０により決定されたフレームレートを示す概念図である。
【００８１】
図７および図８の入力映像データＡ、Ｂは、静止画像であると仮定する。図７と図８の入力映像データＡ、Ｂは、共通してブラックを示す第１階調とグレーを示す第２階調とを含む。図７と図８の入力映像データＡ、Ｂ内における第１階調と第２階調との比率は、同一である。図７の入力映像データＡの第２階調は、表示パネルの中心に集中し、図８の入力映像データＢの第２階調は、表示パネルの全面的に分散されている。
【００８２】
図９および図１０において、入力映像データＡ、Ｂは、９個のセグメントで分割されることを例示した。
【００８３】
図１ないし図１０を参照すると、低周波駆動部２４０の静止画像判断部２４１は、図７の入力映像データＡが静止画像であるか動画像であるか判断する。
【００８４】
セグメント分割部２４２は、入力映像データＡを９個のセグメントに分割する。
【００８５】
ピクセル別フリッカ数値算出部２４３は、入力映像データＡの各ピクセルの輝度に基づき、入力映像データＡの各ピクセルのフリッカ数値を生成する。
【００８６】
セグメント別フリッカ数値算出部２４４は、入力映像データＡの９個のセグメントに対するフリッカ数値を生成する。
【００８７】
フレームレート判断部２４５は、セグメント別のフリッカ数値に基づき、表示パネル１００のフレームレート（ＦＲ）を決める。
【００８８】
例えば、表示パネル１００のコーナーに対応する入力映像データＡの第１、第３、第７および第９セグメントの場合、フリッカが発生しない最適フレームレートは、１Ｈｚであってもよい。表示パネル１００の辺に対応する入力映像データＡの第２、第４、第６および第８セグメントの場合、フリッカが発生しない最適フレームレートは、２Ｈｚであってもよい。表示パネル１００の中心に対応する入力映像データＡの第５セグメントの場合、フリッカが発生しない最適フレームレートは、３０Ｈｚであってもよい。
【００８９】
フレームレート判断部２４５は、セグメントのフリッカ数値の最大値(第５セグメントのフリッカ数値)に基づいて、表示パネル１００のフレームレートを３０Ｈｚに決める。
【００９０】
低周波駆動部２３０の静止画像判断部２４１は、図８の入力映像データＢが静止画像であるか動画像であるか判断する。
【００９１】
セグメント分割部２４２は、入力映像データＢを９個のセグメントに分割する。
【００９２】
ピクセル別フリッカ数値算出部２４３は、入力映像データＢの各ピクセルの輝度に基づいて、入力映像データＢの各ピクセルのフリッカ数値を生成する。
【００９３】
セグメント別フリッカ数値算出部２４４は、入力映像データＢの９個のセグメントに対するフリッカ数値を生成する。
【００９４】
フレームレート判断部２４５は、セグメント別のフリッカ数値に基づき、表示パネル１００のフレームレート（ＦＲ）を決める。
【００９５】
例えば、表示パネル１００における入力映像データＢのすべてのセグメントのフリッカが発生しない最適フレームレートは、同一であってもよい。表示パネル１００における入力映像データＢのすべてのセグメントの最適フレームレートは、１０Ｈｚであってもよい。
【００９６】
フレームレート判断部２４５は、セグメントのフリッカ数値に基づいて、表示パネル１００のフレームレートを１０Ｈｚに決める。
【００９７】
図７の入力映像データＡおよび図８の入力映像データＢを同一のフレームレートで駆動する場合、図７の入力映像データＡでフリッカが発生する可能性が大きい。
【００９８】
表示パネルのフレームレートを決定するための、入力映像データの階調の累積値を分析する従来のヒストグラム分析方法によれば、図７の入力映像データＡと図８入力映像データＢとに対して、同じフレームレートが決定される。この場合、図８の入力映像データＢを表示する際はフリッカが発生しないが、図７の入力映像データＡを表示する際は、フリッカが発生する可能性がある。
【００９９】
本実施形態によれば、入力映像データ（ＲＧＢ）によって表示パネル１００のフレームレート（ＦＲ）が調節され、表示装置の消費電力を低減することができる。また、入力映像データ（ＲＧＢ）のセグメント別のフリッカ数値を用いてフレームレート（ＦＲ）を決めるため、フリッカを防止して表示パネル１００の表示品質を向上させることができる。
【０１００】
以上、説明した本発明に係る表示パネルの駆動方法およびそれを行う表示装置によれば、表示装置の消費電力を低減することができるとともに表示パネルの表示品質を向上させることができる。
【０１０１】
以上、実施形態を参照して説明したが、当該当技術分野の熟練した当業者は、特許請求の範囲に記載された本発明の思想および領域から逸脱しない範囲内における本発明を多様に修正および変更させる可能性があることを理解できる。
【符号の説明】
【０１０２】
１００    表示パネル
２００    タイミングコントローラ
２２０    映像変換部
２４０    低周波駆動部
２４１    静止画像判断部
２４２    セグメント分割部
２４３    ピクセル別フリッカ数値算出部
２４４    セグメント別フリッカ数値算出部
２４５    フレームレート判断部
２６０    信号生成部
３００    ゲート駆動部
４００    ガンマ基準電圧生成部
５００    データ駆動部
【図１】
2015152923.tif 000003
【図２】
2015152923.tif 000004
【図３】
2015152923.tif 000005
【図４】
2015152923.tif 000006
【図５】
2015152923.tif 000007
【図６】
2015152923.tif 000008
【図７】
2015152923.tif 000009
【図８】
2015152923.tif 000010
【図９】
2015152923.tif 000011
【図１０】
2015152923.tif 000012